(57)【要約】【課題】  ネットワーク上に蓄積されたビデオコンテンツのうち、所望のデータを容易に受信し、印刷可能とする。【解決手段】  ネットワークに接続してデータ通信を行う通信手段と、前記ネットワーク上のビデオコンテンツを検索するためのキーワードを入力する入力手段と、前記入力手段により入力されたキーワードに従い前記ネットワーク上のビデオコンテンツに付加されたブックマークを検索し、前記検索されたブックマークが示す部分のビデオコンテンツを前記通信手段を介して入力する検索手段と、前記読み出されたビデオコンテンツに対してコメントを付加する付加手段と、前記付加手段により付加されたコメントと共に前記読み出されたビデオコンテンツを指定したフォーマットで印刷出力する印刷手段とを備える。【選択図】  図１４
2005190156.tif 000002
【特許請求の範囲】
【請求項１】
ネットワークに接続してデータ通信を行う通信手段と、
前記ネットワーク上のビデオコンテンツを検索するためのキーワードを入力する入力手段と、
前記入力手段により入力されたキーワードに従い前記ネットワーク上のビデオコンテンツに付加されたブックマークを検索し、前記検索されたブックマークが示す部分のビデオコンテンツを前記通信手段を介して入力する検索手段と、
前記読み出されたビデオコンテンツに対してコメントを付加する付加手段と、
前記付加手段により付加されたコメントと共に前記読み出されたビデオコンテンツを指定したフォーマットで印刷出力する印刷手段とを備える印刷装置。
【請求項２】
前記検索手段は更に、前記ネットワーク上のビデオコンテンツの内容を解析し、指定された割合の画像変化を検出する画像検出手段を有し、この検出結果に従って前記ネットワーク上より前記ビデオコンテンツを入力することを特徴とする請求項１記載の印刷装置。
【請求項３】
前記検索手段は更に、前記ネットワーク上のビデオコンテンツに付加された時間情報に基づいて、前記ビデオコンテンツから指定された周期毎にビデオデータを抽出して入力することを特徴とする請求項１記載の印刷装置。
【発明の詳細な説明】
【技術分野】
【０００１】
本発明はネットワーク上のビデオコンテンツから所望のデータを受信して印刷する機能を備えた印刷装置に関するものである。
【背景技術】
【０００２】
従来、撮影したビデオコンテンツをネットワーク上のサーバに蓄積しておき、ネットワークを介して多数のユーザがダウンロードして視聴するシステムが知られており、例えば、特許文献１に記載されている。
【特許文献１】特開２０００−２５３２９２
【発明の開示】
【発明が解決しようとする課題】
【０００３】
しかし、前述の様にサーバに蓄積されたビデオコンテンツを視聴する場合に、所望のシーンを検索する機能を持たないので、興味のないシーンも時間をかけて視聴する必要があった。
【０００４】
本発明はこの様な問題を解決し、ネットワーク上に蓄積されたビデオコンテンツのうち、所望のデータを容易に受信し、印刷可能とすることを目的とする。
【課題を解決するための手段】
【０００５】
ネットワークに接続してデータ通信を行う通信手段と、前記ネットワーク上のビデオコンテンツを検索するためのキーワードを入力する入力手段と、前記入力手段により入力されたキーワードに従い前記ネットワーク上のビデオコンテンツに付加されたブックマークを検索し、前記検索されたブックマークが示す部分のビデオコンテンツを前記通信手段を介して入力する検索手段と、前記読み出されたビデオコンテンツに対してコメントを付加する付加手段と、前記付加手段により付加されたコメントと共に前記読み出されたビデオコンテンツを指定したフォーマットで印刷出力する印刷手段とを備える。
【発明の効果】
【０００６】
能率的にビデオコンテンツを検索でき、検索結果を所望の印刷書式で印刷することができる。
【発明を実施するための最良の形態】
【０００７】
以下、本発明の実施形態を詳細に説明する。
【０００８】
図１は、本発明が適用される印刷システムの構成を説明するブロック図であり、コピーシステム３は、インターフェイス１０、入力制御部１００、スキャナー装置１１１、タッチパネルキーボード１１２、メディア読み取り書き込み装置１１３、音声入力＆デジタル変換装置、印刷制御部３００、印刷装置本体３０７等で構成されている。また、入力制御部１００と印刷制御部３００とは内部接続ケーブル２００を介して接続されている。
【０００９】
コピーシステム上のインターフェイス１０は、ネットワーク接続装置２と公衆回線を介してビデオデータ蓄積サーバ１とデータアクセスすることにより、ビデをデータの送受信を行う。
【００１０】
図において、１０１は通信コントローラで、インターフェイス１０を介して各種データの受信、送信等の制御を行う。
【００１１】
１０２はマイクロプロセッサ形態の中央処理装置（ＣＰＵ）であり、例えば図示しないクロックパルス発生回路、遅延回路、ゲート回路、その他の論理回路などを有する順序回路等から構成される。
【００１２】
１０３は、ＯＳ（オペレーティングシステム）や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されている。
【００１３】
１０４は読み書き可能なランダムアクセスメモリ（ＲＡＭ）であり、各装置の動作状況を記憶する領域を有するとともに、ネットワーク接続装置を介して送信されてきたデータを格納する記憶領域を有する。
【００１４】
１０５〜１０９は、それぞれスキャナコントローラ、タッチパネルキーボードコントローラ、メディア読み取り書き込み装置コントローラ、音声入力＆デジタル変換装置コントローラ、プリンタコントローラであり、各装置の制御を行う。
【００１５】
１１０はバスラインで、ＣＰＵ１０２、ＲＯＭ１０３、ＲＡＭ１０４、および１０５〜１０９の各種コントローラを電気的に接続し、メモリアドレスやデータを転送する。
【００１６】
３０１は、印刷制御部側のＣＰＵであり、上記１０２のＣＰＵと同様の構成と機能を備えている。３０２は、読み書き可能なランダムアクセスメモリ（ＲＡＭ）であり、各装置の動作状況や後述のページメモリ上に展開された印刷ビットマップイメージデータを記憶する領域を有する。３０３は、読み出し専用メモリ（ＲＯＭ）で、ＣＰＵが各部に印刷制御信号を供給する際に、その制御信号をＣＰＵに順次知らせるためのマイクロ命令群が記憶されている。３０４は、入力バッファであり、上記プリンタコントローラから送信されてきた印刷データを格納する記憶装置である。３０５は、印刷ビットマップイメージを格納するページメモリであり、作成された印刷ビットマップイメージはエンジンインターフェイス３０６を介して印刷部本体３０７に転送される。
【００１７】
図１５は、本発明を適用可能な出力装置を示す断面図であり、例えばカラーレーザビームプリンタ（カラーＬＢＰ）の場合を示す。
【００１８】
図において、７４０はＬＢＰ本体であり、外部に接続されているホストコンピュータから供給される印刷情報（文字コード等）を入力して記憶するとともに、それらの情報にしたがって対応する文字パターンやグラフィックパターン等を作成し、記録媒体である印刷用紙等に像を形成する。７００はＬＣＤやキーボードが配されている操作パネルで、図１の９に対応する。７０１はプリンタの制御ユニット（図１の１〜７に示した印刷制御装置に対応する）で、ＬＢＰ本体７４０全体の制御およびホストコンピュータから供給される文字情報等を解析する。このプリンタ制御ユニット７０１は、主に文字情報に対応する文字パターンのビデオ信号に変換してレーザドライバ７０２に出力する。
【００１９】
レーザドライバ７０２は半導体レーザ７０３を駆動するための回路であり、入力されたビデオ信号に応じて半導体レーザ７０３から発射されるレーザ光７０４をオン・オフ切り替えする。レーザ光７０４は回転多面鏡７０５で左右方向に振らされて静電ドラム７０６上を走査露光する。これにより、静電ドラム７０６上には文字パターンの静電潜像が形成されることになる。この潜像は、静電ドラム７０６周囲に配置された現像ユニット７０７により現像された後、記録紙に転写される。この記録紙にはカットシートを用い、カットシート記録紙はＬＢＰ本体７４０に装着した用紙カセット７０８に収納され、給紙ローラ７０９より搬送ローラ７１０と搬送ローラ７１１とにより、装置内に取り込まれて、静電ドラム７０６に供給される。そして、現像器７０７によって静電ドラム７０６上に付着されたトナー像は、搬送されてきた記録紙に転写される。その後、記録紙は定着器７１２方向に搬送され、トナーが定着され、最終的に排紙ローラ７１３によって外部に導かれて外部に排紙される。なお、上記現像器７０７や静電ドラム７０６等は例えばＣ（シアン）Ｍ（マゼンダ）Ｙ（イエロウ）Ｋ（ブラック）の色素ごとに処理を行ないカラー印刷が可能となるように構成されている。
【００２０】
次に、展示会のビデオレポートコンテンツに、メーカ、商品カテゴリ、商品名等各シーンに複数のキーワードコメントをブックマークとともに付加してネットワーク上のビデオデータ蓄積サーバ１に蓄積しておき、メーカ名と商品カテゴリの両パラメータを指定して検索後、検索結果の１つのデータに対してコメントを追加して印刷出力する際の手順について、図１〜図１４を参照して説明する。
【００２１】
まず、図１に示されるコピーシステムにおいて電源を入れると、図１４のフローチャート上のステップＳ１において、内部状態の初期化を行った後、ステップＳ２に移行し図３に示す初期メニューをタッチパネルキーボード上に表示して、検索メニューの選択が行なわれるまで待機する。
【００２２】
ここで、タッチパネルキーボード上の“選択”表示部分をタッチすると、デフォルトで「コピー」が選択されてので、ステップＳ３、Ｓ５、Ｓ６と制御が移行し、図４に示すように、コピーを実行するためのメニュー表示を行う。
【００２３】
そこで、コピー原稿をセット後、コピーサイズやコピー枚数等のコピーパラメータを選択した後「開始」ボタン表示をタッチすると、図２０のフローチャート上のステップＳ７、Ｓ８と移行してコピーを実行後ステップＳ６に移行するので引き続きコピー和実行することができる。また、「終了」ボタンを選択するとコピー実行モードを終了しステップＳ２に移行し、初期メニュー表示を行う。
【００２４】
次に、図３の初期メニュー画面において「ネットワーク上のデータ検索」を選択後「選択」ボタン表示をタッチすると、図１４のステップＳ３、Ｓ５，Ｓ１０と制御が移行し、図５に示す検索メニュー画面が表示され、パラメータの指定待機状態となる。
【００２５】
また、図３の初期メニュー画面において、「メディア上のデータ検索」を選択後「選択」ボタン表示をタッチすると、図２０のステップＳ３、Ｓ５，Ｓ９と制御が移行し、図６に示す検索メニュー画面が表示されパラメータの指定待機状態となる。
【００２６】
「ネットワーク上のデータ検索」と「メディア上のデータ検索」は検索対象データＵＲＬの指定が必要かどうかだけが異なるので、必要のない「メディア上のデータ検索」について制御の流れを説明する。
【００２７】
図１４のステップＳ９において、図６に示す検索パラメータ入力待ち画面を表示してパラメータ入力待機状態となる。
【００２８】
この表示に示される４つの検索モードは以下の通りである。
【００２９】
１番目の「シーンチェンジ」は、記録画像内容が変化するタイミングの画像データを取り込む検索モードで、変化の割合をパラメータ指定できるようになっている。
【００３０】
２番目は、記録されている録画時間をベースに周期的に画像データを取り込むモードで、周期を分または秒の単位で指定できるようになっている。
【００３１】
３番目は、ビデオ撮影時または再生時に挿入された、ブックマーク付指定画面を取り込むモードである。
【００３２】
４番目は、上記ブックマークに付加されているコメント情報を検索対象とするもので、このコメントはビデオ撮影装置に備えられたタッチパネルキーボードや音声入力認識システムによって入力記録される。
【００３３】
本形態では、図７に示すように４番目のコメント検索用のパラメータを、図７の下段に表示されているキーボードを利用して入力する。本実施例では、「Ａ社」と「カラーＬＢＰ」のキーワードをアンド条件で検索する例を示している。
【００３４】
図７に示すパラメータを入力後「開始」ボタン表示をタッチすると、図１４のステップＳ９からＳ１１に制御が移行する。そして、ここで指定検索パラメータに従って検索を実行し、検索結果として図８に示される表示が行われる。
【００３５】
ここで、最後に検索ヒットした取り込み画像データ、コメント、ブックマーク登録番号「４」と、下段にヒットしてバッファに取り込まれた画像のサムネール表示が行われている。そして、上段左の矢印表示ボタンをタッチすることでバッファ内に格納されている他の画像データを表示させることができる。
【００３６】
そして、図８の最下段には、「ブックマーク登録」、「コメント追加」、「印刷」、「印刷バッファ登録」、「印刷バッファから削除」の、この検索結果表示モードにおいて指令できる操作メニューが表示されている。
【００３７】
そこで、「コメント追加」表示をタッチすると、図１４のステップＳ１１，Ｓ１２、Ｓ１３と制御が移行する。そして、図９に示す表示が行われ、コメント追加ボックス内に「￥２１，８００」を入力後、「入力」表示ボタンをタッチすると、図１０に示すように、コメント表示欄に「￥２１，８００」が追加表示される。
【００３８】
その後、「戻る」ボタン表示をタッチすると、ステップＳ１３からＳ１１に制御が移行するので、「印刷」表示ボタンをタッチすると、ステップＳ１１，Ｓ１２，Ｓ１６と移行して、図１１に示す印刷仕様指定用の表示が行われる。
【００３９】
ここで「白黒」、「片面」、「縦」、「Ａ４」、「１枚」を選択し、「開始」表示ボタンをタッチすると、バッファに格納されている２つの画像データが、指定印刷仕様に従って印刷されるので、図１２に示されるような印刷結果が得られる。
【００４０】
その後、ステップＳ２に移行し初期メニュー画面を表示する。
【００４１】
なお、図１３にはビデオメディアに格納されているブックマーク及びコメント付きビデオデータの記憶フォーマットの一例を示している。
【００４２】
ブックマークデータ登録エリア内の各行の最初の数字、例えば“０００００８５２”はビデオデータの格納アドレスで、“：”の次にはコメントデータが格納されている。
【００４３】
以上説明したように、ビデオコンテンツに対して、シーンチェンジ、経過時間パラメータ、ブックマーク検索、ブックマーク付加コメント検索等、様々なビデオデータ検索ができるとともに、検索結果に対してブックマーク登録、コメント追加等の編集を行うことができ、また、能率的にビデオコンテンツを検索でき、検索結果を所望の印刷書式で印刷することができる。
【図面の簡単な説明】
【００４４】
【図１】本発明の一実施形態を示す印刷システムの構成を説明するブロック図である。
【図２】本発明による印刷システム上の各種処理プログラムを格納する記憶媒体のメモリマップを説明する図である。
【図３】本発明の実施形態の印刷装置の表示画面例を示す図である。
【図４】本発明の実施形態の印刷装置の表示画面例を示す図である。
【図５】本発明の実施形態の印刷装置の表示画面例を示す図である。
【図６】本発明の実施形態の印刷装置の表示画面例を示す図である。
【図７】本発明の実施形態の印刷装置の表示画面例を示す図である。
【図８】本発明の実施形態の印刷装置の表示画面例を示す図である。
【図９】本発明の実施形態の印刷装置の表示画面例を示す図である。
【図１０】本発明の実施形態の印刷装置の表示画面例を示す図である。
【図１１】本発明の実施形態の印刷装置の表示画面例を示す図である。
【図１２】本発明の実施形態の印刷装置の表示画面例を示す図である。
【図１３】サーバに格納されているビデオデータの一例を示す図である。
【図１４】実施形態に係る印刷システムの動作の流れを示すフローチャートである。
【図１５】図１に示す印刷システムにおける印刷装置本体の縦断面図である。
【図１】
2005190156.tif 000003
【図２】
2005190156.tif 000004
【図３】
2005190156.tif 000005
【図４】
2005190156.tif 000006
【図５】
2005190156.tif 000007
【図６】
2005190156.tif 000008
【図７】
2005190156.tif 000009
【図８】
2005190156.tif 000010
【図９】
2005190156.tif 000011
【図１０】
2005190156.tif 000012
【図１１】
2005190156.tif 000013
【図１２】
2005190156.tif 000014
【図１３】
2005190156.tif 000015
【図１４】
2005190156.tif 000016
【図１５】
2005190156.tif 000017